(57)【要約】【課題】省スペース性と可搬性に優れた収納が可能な情報処理装置を提供する。【解決手段】情報処理装置１０は、コンピュータ本体２００から出力された画像を表示するための液晶ディスプレイ装置４００を支持するコンピュータスタンド１００と、前記コンピュータ本体２００に情報を入力するためのキーボード３００とを備え、前記コンピュータスタンド１００は、前記液晶ディスプレイ装置４００を支持する支持部１５０と、前記キーボード３００を掛止する一方の掛止部１６５と、支持された前記液晶ディスプレイ装置４００と掛止された前記キーボード３００とを一体として釣支するためのハンドル１３０とを有し、前記キーボード３００は、前記コンピュータスタンド１００に掛止される他方の掛止部３０５を有する。【選択図】図７
2008176597.tif 000002
【特許請求の範囲】
【請求項１】
コンピュータ本体から出力された画像を表示するための表示装置を支持するスタンドと、前記コンピュータ本体に情報を入力するためのキーボードとを備えた情報処理装置であって、
前記スタンドは、
前記表示装置を支持する支持部と、
前記キーボードを掛止する一方の掛止部と、
支持された前記表示装置と掛止された前記キーボードとを一体として釣支するための把持部とを備え、
前記キーボードは、
前記スタンドに掛止される他方の掛止部を備え、
前記一方の掛止部は、前記一方の掛止部が有する突起部および受け孔部の少なくとも１つと、前記他方の掛止部が有する受け孔部および突起部の少なくとも１つとが互いに遊嵌することにより、前記他方の掛止部を掛止することを特徴とする情報処理装置。
【請求項２】
コンピュータ本体から出力された画像を表示するための表示装置を支持する支持部と、
前記コンピュータ本体に情報を入力するためのキーボードが有する突起部および受け孔部の少なくとも１つを、受け孔部および突起部の少なくとも１つで互いに遊嵌することにより、当該キーボードを掛止する掛止部と、
保持された前記表示装置と掛止された前記キーボードとを一体として釣支するための把持部とを備えることを特徴とするスタンド。
【請求項３】
請求項２に記載のスタンドにおいて、
前記コンピュータ本体を担持する担持部を更に備えることを特徴とするスタンド。
【請求項４】
請求項２乃至３のいずれかに記載のスタンドにおいて、
前記受け孔部は、溝状であることを特徴とするスタンド。
【請求項５】
請求項４に記載のスタンドにおいて、
前記掛止部は、前記キーボードの一方の端部を前記突起部として、前記溝状の受け孔部に差し込んで掛止することにより、前記キーボードを立て掛けることを特徴とするスタンド。
【請求項６】
請求項２乃至４のいずれか１項に記載のスタンドにおいて、
前記掛止部は、前記キーボードに配置された受け孔部と突起部とがそれぞれ遊嵌する突起部と受け孔部とを備えることを特徴とするスタンド。
【請求項７】
請求項２乃至６のいずれか１項に記載のスタンドにおいて、
前記掛止部は、前記キーボードを操作可能に掛止することを特徴とするスタンド。
【請求項８】
請求項２乃至７のいずれか１項に記載のスタンドにおいて、
前記掛止部は、前記支持部に向かい上昇する斜面上に形成されると共に、
前記キーボードを前記斜面上に掛止することを特徴とするスタンド。
【請求項９】
請求項２乃至８のいずれか１項に記載のスタンドにおいて、
前記支持部は、前記表示装置の後面を締結して支持することを特徴とするスタンド。
【請求項１０】
請求項２乃至９のいずれか１項に記載のスタンドにおいて、
前記把持部は、前記表示装置の背面にあって、上方に釣支可能なハンドルを有することを特徴とするスタンド。
【請求項１１】
情報を入力するための情報入力部と、
基体と遊嵌することで当該基体に掛止される掛止部とを備えることを特徴とするキーボード。
【発明の詳細な説明】
【技術分野】
【０００１】
本発明は、コンピュータ本体、ディスプレイ装置およびキーボードがそれぞれ分離したデスクトップ型のパーソナルコンピュータに適用される情報処理装置、スタンドおよびキーボードに関する。
【背景技術】
【０００２】
従来、デスクトップ型のパーソナルコンピュータにおいて、コンピュータ本体やキーボードを収納するためのスタンドは、下記特許文献１に示すように、コンピュータ本体やキーボードをスタンドに集めて一体化させることで、パーソナルコンピュータの設置面積を低減した。
【０００３】
【特許文献１】特開平１１−２３１９７１号公報
【発明の開示】
【発明が解決しようとする課題】
【０００４】
しかしながら、コンピュータ本体やキーボードは、スタンドに密着させ、一方に設けた突起部を他方の空間部に挿入することで転倒を防止したが、コンピュータ本体やキーボードは、静的な状態で安定するようにスタンドに収納されており、移動を考慮した収納ではなかった。従って、パーソナルコンピュータを運搬する際は、コンピュータ本体やキーボードの収納を解除し、それぞれ別々に移送させる必要があった。
【課題を解決するための手段】
【０００５】
上記した課題を解決するために、本発明の情報処理装置は、コンピュータ本体から出力された画像を表示するための表示装置を支持するスタンドと、前記コンピュータ本体に情報を入力するためのキーボードとを備えた情報処理装置であって、前記スタンドは、前記表示装置を支持する支持部と、前記キーボードを掛止する一方の掛止部と、支持された前記表示装置と掛止された前記キーボードとを一体として釣支するための把持部とを備え、前記キーボードは、前記スタンドに掛止される他方の掛止部を備え、前記一方の掛止部は、前記一方の掛止部が有する突起部および受け孔部の少なくとも１つと、前記他方の掛止部が有する受け孔部および突起部の少なくとも１つとが互いに遊嵌することにより、前記他方の掛止部を掛止することを特徴とする。
この発明によれば、スタンドとキーボードのそれぞれが有する突起部と受け孔部が互いに遊嵌することにより、スタンドは、キーボードを容易に掛止できると共に、表示装置を支持することで、キーボードと表示装置とを一体に収納できるため、省スペース化を図れる。更に、スタンドの把持部を把持して釣支し、移送することで、スタンドとキーボードと表示装置とを一体として移送できるため、可搬性に優れる。
【０００６】
上記した課題を解決するために、本発明のスタンドは、コンピュータ本体から出力された画像を表示するための表示装置を支持する支持部と、前記コンピュータ本体に情報を入力するためのキーボードが有する突起部および受け孔部の少なくとも１つを、受け孔部および突起部の少なくとも１つで互いに遊嵌することにより、当該キーボードを掛止する掛止部と、保持された前記表示装置と掛止された前記キーボードとを一体として釣支するための把持部とを備えることを特徴とする。
この発明によれば、スタンドとキーボードのそれぞれが有する突起部と受け孔部が互いに遊嵌することにより、スタンドは、キーボードを容易に掛止できると共に、表示装置を支持することで、キーボードと表示装置とを一体に収納できるため、省スペース化を図れる。更に、スタンドの把持部を把持して釣支し、移送することで、スタンドとキーボードと表示装置とを一体として移送できるため、可搬性に優れる。
【０００７】
本発明のスタンドは、前記コンピュータ本体を担持する担持部を更に備えることが好ましい。
この発明によれば、スタンドを釣支して移送させることで、キーボードと表示装置に加え、更にコンピュータ本体を同時に移送できる。
【０００８】
本発明のスタンドでは、前記受け孔部は、溝状であっても良い。また、本発明のスタンドでは、前記掛止部は、前記キーボードの一方の端部を前記突起部として、前記溝状の受け孔部に差し込んで掛止することにより、前記キーボードを立て掛けても良い。
【０００９】
本発明のスタンドでは、前記掛止部は、前記キーボードに配置された受け孔部と突起部とがそれぞれ遊嵌する突起部と受け孔部とを備えることが好ましい。
この発明によれば、スタンドとキーボードは、それぞれが備える受け孔部と突起部とが互いに遊嵌することで、キーボードは、スタンドに確実に掛止されるため、移送時の離脱を防止できる。
【００１０】
本発明のスタンドでは、前記掛止部は、前記キーボードを操作可能に掛止することが好ましい。
この発明によれば、スタンドに掛止されたキーボードは、掛止された状態でも操作できる。
【００１１】
本発明のスタンドでは、前記掛止部は、前記支持部に向かい上昇する斜面上に形成されると共に、前記キーボードを前記斜面上に掛止することが好ましい。
この発明によれば、スタンドの掛止部に掛止されたキーボードも斜面に従い傾斜するため、掛止されたキーボードの操作性が向上する。
【００１２】
本発明のスタンドでは、前記支持部は、前記表示装置の後面を締結して支持しても良い。また、本発明のスタンドでは、前記把持部は、前記表示装置の背面にあって、上方に釣支可能なハンドルを有しても良い。
【００１３】
上記した課題を解決するために、本発明のキーボードは、情報を入力するための情報入力部と、基体と遊嵌することで当該基体に掛止される掛止部とを備えることを特徴とする。
この発明によれば、キーボードは、掛止部により基体に掛止されるため、基体と一体にすることで省スペース化を図れることに加え、基体と一緒に移送することで、可搬性に優れる。
【発明を実施するための最良の形態】
【００１４】
以下、本発明の実施の形態について、デスクトップ型のパーソナルコンピュータを用いて説明する。
【００１５】
（実施形態）
図１は、本実施形態における情報処理装置１０の全体を示す斜視図である。この情報処理装置１０は、デスクトップ型のパーソナルコンピュータであり、コンピュータ本体２００と、液晶ディスプレイ装置４００と、キーボード３００と、コンピュータスタンド１００とを備える。この中で、液晶ディスプレイ装置４００とキーボード３００は、それぞれコンピュータ本体２００とケーブル（図示は略す。）により接続されている。また、コンピュータ本体２００は、電源ケーブル（図示は略す。）を介して外部から電源が供給されている。
【００１６】
コンピュータ本体２００は、キーボード３００やマウス（図示は略す。）を介して入力される入力情報に応じて、所定の情報を処理し、処理した結果を液晶ディスプレイ装置４００やプリンタ（図示は略す。）等に出力する。このコンピュータ本体２００は、図示は略すが、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、記憶装置であるＨＤＤ（Ｈａｒｄ  Ｄｉｓｋ  Ｄｒｉｖｅ）や光ディスクドライブ、ＲＯＭ（Ｒｅａｄ  Ｏｎｌｙ  Ｍｅｍｏｒｙ）、入出力Ｉ／Ｆ（Ｉｎｔｅｒｆａｃｅ）、通信Ｉ／Ｆ、グラフィック機能等をハードウェアとして内部に備え、これらのハードウェアは、バスにより各信号が授受可能に接続されている。また、これらのハードウェアは、基本ソフトウェアであるＢＩＯＳ（Ｂａｓｉｃ  Ｉｎｐｕｔ  Ｏｕｔｐｕｔ  Ｓｙｓｔｅｍ）や、オペレーティングシステム（ＯＳ）により管理され、これらの管理下で、ＲＯＭやＨＤＤに記憶されたドライバを含む種々のソフトウェアにより、所定の機能が実行される。
【００１７】
液晶ディスプレイ装置４００は、電圧をかけると分子の配列が変わるという液晶の性質を利用したディスプレイであり、本実施形態では、ＴＦＴ（Ｔｈｉｎ  Ｆｉｌｍ  Ｔｒａｎｓｉｓｔｏｒ）カラー液晶等を想定する。
【００１８】
キーボード３００は、文字等の情報を入力するための周辺機器であり、ＯＳや使用する言語等に応じて種々のキーボードが採用される。本実施形態では、１０６コンパクトキーボードや１０９キーボードを想定する。
【００１９】
コンピュータスタンド１００は、液晶ディスプレイ装置４００を保持し、コンピュータ本体２００を設置することに加え、キーボード３００を収納可能なスタンドである。図２は、コンピュータスタンド１００を示す斜視図である。コンピュータスタンド１００は、基体であるベース部１１０と、液晶ディスプレイ装置４００と締結する締結部１２０と、ユーザが把持するためのハンドル１３０と、コンピュータ本体２００を担持するための担持部１４０とを備える。尚、本実施形態では、外部から供給される交流電源を所定の電圧の直流電圧に変換するための電源アダプタ２５０を、コンピュータスタンド１００の担持部１４０の下部に設置できるように構成されている。
【００２０】
図３は、コンピュータスタンド１００の側面図である。前記した締結部１２０は、支持部１５０を介してコンピュータスタンド１００に固定されている。この支持部１５０は、液晶ディスプレイ装置４００が締結された締結部１２０を支持すると共に、所定の範囲で液晶ディスプレイ装置４００を上下左右方向に回動することが可能である。また、図４は、コンピュータスタンド１００の詳細を示す斜視図であり、支柱部１８０の下方の端部は、ベース部１１０の所定位置に固定されている。また、締結部１２０には、液晶ディスプレイ装置４００をネジで固定するための４ヶ所の貫通穴１２５Ａ〜１２５Ｄが設けられている。これらの貫通穴は、図５に示す液晶ディスプレイ装置４００の背面に設けられたネジ穴４１０Ａ〜４１０Ｄに合わせて設けられ、適切なネジを用いて、液晶ディスプレイ装置４００と締結部１２０が締結される。更に、締結部１２０には、図示は略すが、サイズが異なる他方の液晶ディスプレイ装置を締結可能な複数の貫通穴が、貫通穴１２５Ａ〜１２５Ｄとは異なる位置に設けられている。
【００２１】
図４に戻り、ベース部１１０の表面部には、支柱部１８０に向かって緩やかに上昇する斜面１９０が設けられている。加えて、この斜面１９０の略中央部には、斜面１９０の傾斜よりも更に傾斜した突起部１６０が設けられている。また、突起部１６０よりも斜面１９０の下方にあって、この斜面１９０の傾斜が始まる起点近傍には、締結部１２０の締結面に平行に溝部１７０が設けられている。尚、この斜面１９０は、支柱部１８０に向かうに従って傾斜角度が大きくなるように形成されている。これらの突起部１６０と溝部１７０は、一方の掛止部１６５を構成し、キーボード３００を掛止するための機能を有する。ここで、図６は、キーボード３００の背面を示す図であり、この図も参照して掛止する機能について詳説する。
【００２２】
キーボード３００の背面には、収納可能なスタンド脚部３３０Ａ，３３０Ｂと、滑り防止のためのゴム足部３１０Ａ〜３１０Ｄとを有する。また、中央部には、少なくとも２つの突起部３２０Ａ，３２０Ｂを有し、これらの突起部３２０Ａ，３２０Ｂが埋設された面Ａは、周囲の面Ｂと比較して陥没している。また、これらの２つの突起部３２０Ａ，３２０Ｂは、面Ｂと略同じ高さに突起している。ここで、面Ａと面Ｂとの段差部３２５と、２つの突起部３２０Ａ，３２０Ｂと、２つのゴム足部３１０Ｂ，３１０Ｃは、他方の掛止部３０５を構成する。即ち、面Ａと面Ｂとの段差部３２５と、２つの突起部３２０Ａ，３２０Ｂとで区画される領域に、コンピュータスタンド１００の突起部１６０を遊嵌した場合、ゴム足部３１０Ａ〜３１０Ｄの中の２つのゴム足部３１０Ｂ，３１０Ｃは、コンピュータスタンド１００の溝部１７０に遊嵌される。従って、キーボード３００は、前記した２つの凹凸部により、コンピュータスタンド１００の斜面上において掛止される。
【００２３】
ここで、図７は、キーボード３００がコンピュータスタンド１００に掛止された状態の情報処理装置１０を示す斜視図であり、この図に示すように、キーボード３００は、液晶ディスプレイ装置４００の下部に収納されるように掛止されている。この場合、キーボード３００は、２つの凹凸部でコンピュータスタンド１００の斜面上に掛止されているため、コンピュータスタンド１００を前後左右に揺らしても離脱しない。また、キーボード３００と液晶ディスプレイ装置４００との間には、空間を有するため、キーボード３００が掛止された状態であっても、キーボード３００を操作できる。尚、コンピュータスタンド１００は、掛止されたキーボード３００の有無、および担持されたコンピュータ本体２００の有無に依らず、倒れることがないように設計されている。
【００２４】
次に、図８は、キーボード３００の一方の端部３４０（図６）がコンピュータスタンド１００の溝部１７０に挿入され掛止された状態の情報処理装置１０を示す斜視図である。図７および図８に示した情報処理装置１０は、いずれもハンドル１３０を把持することで釣支できると共に、釣支した状態では、重心位置に応じて情報処理装置１０が傾くが、このような状態であっても、キーボード３００がコンピュータスタンド１００から離脱することなく、液晶ディスプレイ装置４００とコンピュータ本体２００とを含む一体として移送できる。
【００２５】
また、コンピュータスタンド１００の底面部には、図示を略すが、所定の角度に渡り回動可能なスィーベル機構部を備える。従って、情報処理装置１０は、図９（ａ）〜図９（ｃ）に示すように、コンピュータスタンド１００を中心として、所定の角度に渡り首振りが可能である。
【００２６】
次に、コンピュータ本体２００を担持する担持部１４０を詳説する。図１０は、担持部１４０の全体を示す斜視図であり、図１１は、担持部１４０の側面図である。この担持部１４０は、支柱部１８０（図４）に取り付けるための取付け板１４１と、取付け板１４１の下方端部に取付け板１４１と直交して形成され、端部が上方に略Ｌ字形状を有する一方の担持板１４３と、一方の担持板１４３と相対して取付け板１４１の上方に取付け板１４１と直交して形成され、端部が下方に略Ｌ字形状を有する他方の担持板１４２と、取付け板１４１の上方端部に固定されたハンドル１３０とを有する。
【００２７】
取付け板１４１は、４ヶ所のボルト取付け穴１４９Ａ〜１４９Ｄを有し、それぞれのボルト取付け穴１４９Ａ〜１４９Ｄは、支柱部１８０（図４）の側面に配置されたネジ穴（図示は略す。）に所定のネジにより固定できるように作成されている。この結果、担持部１４０は、コンピュータスタンド１００の側面であって、締結部１２０（図４）の側と反対側に固定される。
【００２８】
２つの担持板１４２，１４３が相対する相対面の中には、押さえ板１４６とゴム板１４８から成る挟持部１４５が形成される。ここで、一方の担持板１４３の側には、弾性部材の１つであるゴム板１４８が全面に渡り貼付されている。また、他方の担持板１４２の側の略中央部にはネジ穴が貫通され、一方の担持板１４３の相対面の裏面側から相対面に向けて押さえネジ１４４が貫通し、螺合されている。この押さえネジ１４４の先端部には、押さえ板１４６が装着され、押さえネジ１４４を回転させることにより、押さえ板１４６は、押さえネジ１４４のいずれかの軸方向に移動する。２つの担持板１４２，１４３と取付け板１４１で囲まれる領域には、コンピュータ本体２００を担持部１４０の側面方向から挿着できる。ここで、押さえネジ１４４を回して、押さえ板１４６をコンピュータ本体２００に押し当てることにより、コンピュータ本体２００は、押さえ板１４６とゴム板１４８により挟持される。また、図示は略すが、コンピュータ本体２００とは寸法が異なる様態のコンピュータ本体であっても、２つの担持板１４２，１４３が許容する寸法以下であれば、押さえネジ１４４を調整することで挟持できる。更に、２つの担持板１４２，１４３は、異なる様態のコンピュータ本体に合わせて交換可能であっても良い。
【００２９】
ここで、図１２は、コンピュータ本体２００を示す斜視図であり、この図も参照して説明する。このコンピュータ本体２００は、正面（Ｅ面）には、起動スイッチ２１０、ＵＳＢ（Ｕｎｉｖｅｒｓａｌ  Ｓｅｒｉａｌ  Ｂｕｓ）等の一方の接続端子２３０およびディスクローディング部２２０のように、ユーザにより操作される頻度が高い操作部や接続部が配置され、背面（Ｆ面）には、ビデオ出力等の他方の接続端子２４０のように、一度接続されると頻繁に断続されない接続部が配置される。また、このコンピュータ本体２００は、表面（Ｂ面）が上になるように横置きして使用しても良く、また、一方の側面（Ｃ面）または他方の側面（Ｄ面）が上になるように縦置きして使用しても良いように設計されている。従って、本実施形態では、担持部１４０は、コンピュータ本体２００の一方の側面（Ｃ面）および他方の側面（Ｄ面）のいずれかが上になるような縦置き方向に担持可能に構成されており、更に、担持部１４０の取付け板１４１に接する面は、表面（Ｂ面）および裏面（Ａ面）のいずれであっても良い。
【００３０】
即ち、図１３（ａ）〜１３（ｄ）に示すように、ユーザが液晶ディスプレイ装置４００に対峙してキーボード３００を操作する場合、コンピュータ本体２００は、以下のいずれの配置であっても良い。
（１）コンピュータ本体２００の正面（Ｅ面）は右側にあって、起動スイッチ２１０が上部にあるように配置（図１３（ａ））。
（２）コンピュータ本体２００の正面（Ｅ面）は右側にあって、起動スイッチ２１０が下部にあるように配置（図１３（ｂ））。
（３）コンピュータ本体２００の正面（Ｅ面）は左側にあって、起動スイッチ２１０が下部にあるように配置（図１３（ｃ））。
（４）コンピュータ本体２００の正面（Ｅ面）は左側にあって、起動スイッチ２１０が上部にあるように配置（図１３（ｄ））。
【００３１】
以上述べた実施形態によれば、コンピュータスタンド１００が、液晶ディスプレイ装置４００を支持し、キーボード３００を掛止し、コンピュータ本体２００を担持することで、省スペース性を図り一体化された情報処理装置１０を提供できると共に、コンピュータスタンド１００のハンドル１３０を把持して釣支することで、一体化された様態を維持した状態で移送できるため、可搬性に優れた情報処理装置１０を提供できる。
【図面の簡単な説明】
【００３２】
【図１】本発明の実施形態に係る情報処理装置の全体を示す斜視図。
【図２】本発明の実施形態に係る情報処理装置のコンピュータスタンドを示す斜視図。
【図３】コンピュータスタンドの側面図。
【図４】コンピュータスタンドの詳細を示す斜視図。
【図５】液晶ディスプレイ装置の背面図。
【図６】キーボードの背面図。
【図７】キーボードがコンピュータスタンドに掛止された状態を示す斜視図。
【図８】キーボードの一方の端部がコンピュータスタンドの溝部に挿入され掛止された状態を示す斜視図。
【図９】（ａ）は、情報処理装置の左方向への首振りを示し、（ｂ）は、情報処理装置の正面を示し、（ｃ）は、情報処理装置の右方向への首振りを示す図。
【図１０】担持部の全体を示す斜視図。
【図１１】担持部の側面図。
【図１２】コンピュータ本体を示す斜視図。
【図１３】（ａ）は、コンピュータ本体の正面が右側にあって、起動スイッチが上部にある状態を示し、（ｂ）は、コンピュータ本体の正面が右側にあって、起動スイッチが下部にある状態を示し、（ｃ）は、コンピュータ本体の正面が左側にあって、起動スイッチが下部にある状態を示し、（ｄ）は、コンピュータ本体の正面が左側にあって、起動スイッチが上部にある状態を示す図。
【符号の説明】
【００３３】
１０…情報処理装置、１００…コンピュータスタンド、１１０…ベース部、１２０…締結部、１３０…ハンドル、１４０…担持部、１４１…取付け板、１４２…他方の担持板、１４３…一方の担持板、１４４…押さえネジ、１４５…挟持部、１４６…押さえ板、１４８…ゴム板、１５０…支持部、１６０…突起部、１６５…一方の掛止部、１７０…溝部、１８０…支柱部、１９０…斜面、２００…コンピュータ本体、２１０…起動スイッチ、２２０…ディスクローディング部、２３０…一方の接続端子、２４０…他方の接続端子、２５０…電源アダプタ、３００…キーボード、３０５…他方の掛止部、３１０Ａ〜３１０Ｄ…ゴム足部、３２０Ａ，３２０Ｂ…突起部、３２５…段差部、３４０…一方の端部、４００…液晶ディスプレイ装置。
【図１】
2008176597.tif 000003
【図２】
2008176597.tif 000004
【図３】
2008176597.tif 000005
【図４】
2008176597.tif 000006
【図５】
2008176597.tif 000007
【図６】
2008176597.tif 000008
【図７】
2008176597.tif 000009
【図８】
2008176597.tif 000010
【図９】
2008176597.tif 000011
【図１０】
2008176597.tif 000012
【図１１】
2008176597.tif 000013
【図１２】
2008176597.tif 000014
【図１３】
2008176597.tif 000015